(57)【要約】【課題】他の視聴者とのコメントを共有し合うことで、テレビ視聴の楽しみ方を広げることができる技術を提供する。【解決手段】投稿要素取得部（１１３）が取得した投稿要素を含む投稿内容を投稿する投稿部（１１６）と、他のユーザの投稿内容を含む投稿情報を取得する投稿情報取得部（１１７）と、投稿情報取得部（１１７）が取得した投稿情報を、表示部（１２０）に表示する表示制御部（１１８）とを備えている【選択図】図１
2019125935.tif 000002
【特許請求の範囲】
【請求項１】
表示部と制御部とを備えたテレビジョン受像機であって、
上記制御部は、
複数の投稿要素を取得する投稿要素取得部と、
上記投稿要素取得部が取得した投稿要素の少なくとも一部を、上記表示部において選択可能にユーザに提示する投稿要素提示部と、
上記投稿要素提示部が提示した投稿要素から、ユーザからの指示に応じて、投稿要素を選択する投稿要素選択部と、
上記投稿要素選択部が選択した投稿要素を含む投稿内容を投稿する投稿部と、
他のユーザの投稿内容を含む投稿情報を取得する投稿情報取得部と、
上記投稿情報取得部が取得した投稿情報を、上記表示部に表示する表示制御部と
を備えていることを特徴とするテレビジョン受像機。
【請求項２】
上記投稿要素には、電子番組表に含まれる情報から抽出された投稿要素が含まれることを特徴とする請求項１に記載のテレビジョン受像機。
【請求項３】
上記表示制御部は、上記投稿情報であって、ユーザが視聴中の番組コンテンツに対応する上記投稿情報を、上記番組コンテンツに重畳して表示することを特徴とする請求項１または２に記載のテレビジョン受像機。
【請求項４】
上記表示制御部は、放送中の複数の番組のそれぞれに対応する複数の上記投稿情報を、上記表示部に並べて表示し、
各投稿情報は、対応する番組コンテンツを上記表示部に表示させる操作に関する情報を含む
ことを特徴とする請求項１または２に記載のテレビジョン受像機。
【請求項５】
上記投稿要素選択部は、ユーザからの指示に応じて、複数の上記投稿要素を選択し、
上記投稿部は、ユーザからの指示に応じて選択された複数の上記投稿要素を含む投稿内容を投稿する
ことを特徴とする請求項１または２に記載のテレビジョン受像機。
【請求項６】
制御部を備えた情報処理装置であって、
上記制御部は、
電子番組表から複数の投稿要素を抽出する投稿要素抽出部と、
上記投稿要素抽出部が抽出した投稿要素を含む複数の投稿要素を複数の表示装置に送信する投稿要素送信部と、
上記複数の表示装置から、それぞれの投稿内容を受信する投稿内容受信部と、
上記投稿内容受信部が受信した投稿内容を含む投稿情報を、上記複数の表示装置に送信する投稿情報送信部と
を備えていることを特徴とする情報処理装置。
【請求項７】
上記電子番組表を参照して、上記投稿情報を、番組と対応付けて蓄積する投稿情報蓄積部をさらに備えていることを特徴とする請求項６に記載の情報処理装置。
【請求項８】
請求項１〜５の何れか一項に記載のテレビジョン受像機と、
請求項６または７に記載の情報処理装置と、を含む
ことを特徴とする情報表示システム。
【請求項９】
表示部と制御部とを備えたテレビジョン受像機の、上記表示部に情報を表示する情報表示方法であって、
複数の投稿要素を取得する投稿要素取得ステップと、
取得した上記投稿要素の少なくとも一部を、上記表示部において選択可能にユーザに提示する投稿要素提示ステップと、
提示した上記投稿要素から、ユーザからの指示に応じて、投稿要素を選択する投稿要素選択ステップと、
選択した上記投稿要素を含む投稿内容を投稿する投稿ステップと、
他のユーザの投稿内容を含む投稿情報を取得する投稿情報取得ステップと、
取得した上記投稿情報を、上記表示部に表示する表示制御ステップと
を含むことを特徴とする情報表示方法。
【請求項１０】
請求項１から５の何れか一項に記載のテレビジョン受像機としてコンピュータを機能させるための制御プログラムであって、上記制御部としてコンピュータを機能させるための制御プログラム。
【請求項１１】
請求項１０に記載の制御プログラムを記録したコンピュータ読み取り可能な記録媒体。
【発明の詳細な説明】
【技術分野】
【０００１】
本発明は、テレビジョン受像機、情報処理装置、情報表示システム、情報表示方法、プログラム、及び記録媒体に関する。
【背景技術】
【０００２】
従来、動画再生中に、動画上にコメントを表示する技術が知られている（例えば、特許文献１参照）。これらのコメント配信システムでは、表示装置は、ネットワークを介して動画配信サーバから配信される動画と、コメント配信サーバから配信されるコメントとを受信して、動画上にコメントを表示している。
【先行技術文献】
【特許文献】
【０００３】
【特許文献１】特開２０１１−０５５５４５号公報（２０１１年７月２７日公開）
【発明の概要】
【発明が解決しようとする課題】
【０００４】
しかしながら、放送波を受信して、放送波に応じた画像を表示する所謂テレビでは、他の視聴者とコメントを共有することができなかった。また、視聴者の年齢層が幅広いテレビでは、誹謗中傷や、品にかける言葉によるコメントを表示するのは好ましくない。
【０００５】
本発明の一態様は、上述した事情に鑑みてなされたものであり、他の視聴者とのコメントを共有し合うことで、テレビ視聴の楽しみ方を広げることができる技術を提供することを目的とする。
【課題を解決するための手段】
【０００６】
上記の課題を解決するために、本発明の一態様に係るテレビジョン受像機は、表示部と制御部とを備えたテレビジョン受像機であって、上記制御部は、複数の投稿要素を取得する投稿要素取得部と、上記投稿要素取得部が取得した投稿要素の少なくとも一部を、上記表示部において選択可能にユーザに提示する投稿要素提示部と、上記投稿要素提示部が提示した投稿要素から、ユーザからの指示に応じて、投稿要素を選択する投稿要素選択部と、上記投稿要素選択部が選択した投稿要素を含む投稿内容を投稿する投稿部と、他のユーザの投稿内容を含む投稿情報を取得する投稿情報取得部と、上記投稿情報取得部が取得した投稿情報を、上記表示部に表示する表示制御部とを備えている構成である。
【０００７】
上記の課題を解決するために、本発明の一態様に係る情報処理装置は、制御部を備えた情報処理装置であって、上記制御部は、電子番組表から複数の投稿要素を抽出する投稿要素抽出部と、上記投稿要素抽出部が抽出した投稿要素を含む複数の投稿要素を複数の表示装置に送信する投稿要素送信部と、上記複数の表示装置から、それぞれの投稿内容を受信する投稿内容受信部と、上記投稿内容受信部が受信した投稿内容を含む投稿情報を、上記複数の表示装置に送信する投稿情報送信部とを備えている構成である。
【０００８】
上記の課題を解決するために、本発明の一態様に係る情報表示方法は、表示部と制御部とを備えたテレビジョン受像機の、上記表示部に情報を表示する情報表示方法であって、複数の投稿要素を取得する投稿要素取得ステップと、取得した上記投稿要素の少なくとも一部を、上記表示部において選択可能にユーザに提示する投稿要素提示ステップと、提示した上記投稿要素から、ユーザからの指示に応じて、投稿要素を選択する投稿要素選択ステップと、選択した上記投稿要素を含む投稿内容を投稿する投稿ステップと、他のユーザの投稿内容を含む投稿情報を取得する投稿情報取得ステップと、取得した上記投稿情報を、上記表示部に表示する表示制御ステップとを含む方法である。
【発明の効果】
【０００９】
本発明の一態様によれば、他の視聴者とのコメントを共有し合うことで、テレビ視聴の楽しみ方を広げることができる。
【図面の簡単な説明】
【００１０】
【図１】本発明の実施形態に係る情報表示システムの概略構成を示すブロック図である。
【図２】情報表示システムの構成を模式的に示した図である。
【図３】（ａ）及び（ｂ）はテレビジョン受像機と、情報処理装置との接続構成を模式的に示した図である。
【図４】（ａ）は、機器管理データの一例を示し、（ｂ）は、ユーザ管理データの一例を示す図である。
【図５】投稿管理データの一例を示す図である。
【図６】（ａ）及び（ｂ）はテレビジョン受像機の表示部における投稿情報の表示態様の一例を示す図である。
【図７】（ａ）及び（ｂ）はユーザ操作に応じた表示部における表示の例を示す図である。
【図８】（ａ）はユーザ操作に応じた表示部における表示の例を示す図であり、（ｂ）は（ａ）の部分拡大図である。
【図９】（ａ）はユーザ操作に応じた表示部における表示の例を示す図であり、（ｂ）は（ａ）の部分拡大図である。
【図１０】ユーザ操作に応じた表示部における表示の例を示す図である。
【図１１】ユーザ操作に応じた表示部における表示の例を示す図であり、投稿要素一覧の表示例である。
【発明を実施するための形態】
【００１１】
以下、本発明の実施の形態について、詳細に説明する。
【００１２】
図１は、本発明の実施の形態に係る情報表示システム１の概略構成を示すブロック図である。情報表示システム１は、テレビジョン受像機（表示装置）１００と、情報処理装置１５０と、を含んでいる。図２は、情報表示システム１の構成を模式的に示した図である。
【００１３】
（テレビジョン受像機１００の構成）
テレビジョン受像機１００は、制御部１１０と、表示部１２０と、を備えている。図２に示すように、テレビジョン受像機１００は、受信したデータストリームに応じた画像を表示部１２０に表示する。表示部１２０は、例えば、液晶ディスプレイ、有機ＥＬ（Electro Luminescence）ディスプレイ（ＯＬＥＤ）、及びプラズマディスプレイ等のディスプレイデバイスである。
【００１４】
テレビジョン受像機１００は、ユーザからの指示操作の入力を、テレビジョン受像機１００とは別体のリモコン（リモートコントローラ）５を介して受け付ける。また、テレビジョン受像機１００は、図示は省略するが、テレビジョン受像機１００に一体に設けられた不図示の操作ボタン等の操作部を備え、当該操作部を介してユーザからの指示を受け付ける構成であってもよい。
【００１５】
制御部１１０は、テレビジョン受像機１００の各部を統括的に制御する機能を備えている演算装置である。
【００１６】
（制御部１１０の機能ブロックについて）
制御部１１０は、投稿要素取得部１１３、投稿要素提示部１１４、投稿要素選択部１１５、投稿部１１６、投稿情報取得部１１７、及び表示制御部１１８を備えている。また、制御部１１０は、受信部１１１、電子番組表送信部１１２、及び操作取得部１１９を含んでいる。
【００１７】
受信部１１１は、無線通信または有線通信によって、インターネット等のネットワークに接続可能に構成されている。また、受信部１１１は、放送局から送出されるＥＩＴ(Event Information Table)を受信する。ＥＩＴには、番組の名称や、放送日時、放送内容等の番組情報が含まれている。
【００１８】
電子番組表送信部１１２は、受信部１１１が受信したＥＩＴに基づいて、ＥＰＧ（Electric Program Guide）を生成する。ＥＰＧは、各放送局から送出されたＥＩＴに基づいて生成されるセル型のテレビ番組表である。なお、以下の説明において、ＥＰＧを電子番組表と称している。電子番組表送信部１１２は、生成した電子番組表を情報処理装置１５０に送信する。
【００１９】
投稿要素取得部１１３は、情報処理装置１５０から提供される複数の投稿要素を取得する。投稿要素には、詳細については後述するが、一般的に良く使われる感情を表現する言葉を含む汎用ワードを含まれていても良い。また、投稿要素には、情報処理装置１５０によって電子番組表に含まれる情報から抽出された投稿要素である、番組に関連するワード等の番組ワードを含んでいてもよい。
【００２０】
投稿要素提示部１１４は、投稿要素取得部１１３が取得した投稿要素の少なくとも一部を、表示部１２０において選択可能にユーザに提示する。
【００２１】
投稿要素選択部１１５は、投稿要素提示部１１４が表示部１２０において選択可能にユーザに提示した投稿要素から、ユーザからの例えばリモコン５に対する操作による指示に応じて、投稿要素を選択する。また、投稿要素選択部１１５は、ユーザからの指示に応じて、複数の投稿要素を選択しても良い。
【００２２】
投稿部１１６は、投稿要素選択部１１５がユーザからの指示に応じて選択した投稿要素を含む投稿内容を情報処理装置１５０に送信することにより投稿する。また、投稿部１１６は、ユーザからの指示に応じて選択された複数の投稿要素を含む投稿内容を情報処理装置１５０に送信することにより投稿してもよい。
【００２３】
投稿情報取得部１１７は、情報処理装置１５０から送信される他のユーザの投稿内容を含む投稿情報を取得する。
【００２４】
表示制御部１１８は、投稿情報取得部１１７が取得した投稿情報を、表示部１２０に表示する。
【００２５】
操作取得部１１９は、ユーザのリモコン５に対する操作に応じた制御情報を、制御部１１０の各機能ブロックに提供する。投稿要素提示部１１４、投稿要素選択部１１５、及び投稿部１１６は、操作取得部１１９を介して取得したユーザからの指示に応じた処理を実行する。
【００２６】
このように、テレビジョン受像機１００は、図２に示すように、電子番組表を情報処理装置１５０に送信し、投稿要素を情報処理装置１５０から受信し、投稿内容を情報処理装置１５０に送信し、投稿情報を情報処理装置１５０から受信して、当該投稿情報を表示部１２０に表示する。
【００２７】
これらの構成によれば、ユーザは、他の視聴者と投稿情報を共有し合うことができ、テレビ視聴の楽しみ方を広げることができる。
【００２８】
（情報処理装置１５０の構成）
図３（ａ），及び図３（ｂ）は、テレビジョン受像機１００と、情報処理装置１５０との接続構成を示す図である。図３（ａ）に示すように、情報処理装置１５０は、複数のテレビジョン受像機１００から、それぞれの投稿内容を受信する。また、図３（ｂ）に示すように、情報処理装置１５０は、複数のテレビジョン受像機１００から受信した投稿内容の少なくとも一部を含む投稿情報を、複数のテレビジョン受像機１００に送信する。このように、情報処理装置１５０は、複数のテレビジョン受像機１００から受信したそれぞれの投稿内容を含む投稿情報を複数のテレビジョン受像機１００に送信するサーバとして機能する。
【００２９】
図１に示すように、情報処理装置１５０は、サーバ制御部（制御部）１６０と、記憶部１７０とを含んでいる。
【００３０】
サーバ制御部１６０は、情報処理装置１５０の各部を統括的に制御する機能を備えている演算装置である。
【００３１】
記憶部１７０は、サーバ制御部１６０で用いられる種々のデータを格納するストレージである。記憶部１７０は、例えば、内容の書き換えが可能な不揮発性メモリである、ＥＰＲＯＭ、ＥＥＰＲＯＭ（登録商標）、ＨＤＤ、フラッシュメモリなどのいずれか１つ、又はそれらの１つ以上の組み合わせによって実現される。
【００３２】
（サーバ制御部１６０の機能ブロックについて）
サーバ制御部１６０は、電子番組表取得部１６１、投稿要素抽出部１６２、投稿要素送信部１６３、投稿内容受信部１６４、及び投稿情報送信部１６５を含んでいる。
【００３３】
電子番組表取得部１６１は、テレビジョン受像機１００の電子番組表送信部１１２から送信される電子番組表を取得する。なお、電子番組表取得部１６１は、テレビジョン受像機１００から電子番組表を取得する構成に限らず、直接放送局から送出されるＥＩＴ(Event Information Table)を受信することにより、電子番組表を取得する構成であってもよい。
【００３４】
投稿要素抽出部１６２は、電子番組表取得部１６１が取得した電子番組表から複数の投稿要素を抽出する。投稿要素抽出部１６２は、例えば、番組が野球中継である場合には、電子番組表に含まれる、対戦チームの名前、対戦場所、選手名、野球に関連するキーワード等の番組ワードを投稿要素として電子番組表から抽出する。
【００３５】
投稿要素送信部１６３は、投稿要素抽出部１６２が抽出した投稿要素を含む複数の投稿要素を複数のテレビジョン受像機１００に送信する。投稿要素には、投稿要素抽出部１６２によって電子番組表から抽出された番組ワードと、後述する汎用ワードが含まれる。投稿要素送信部１６３は、投稿要素を随時送信する。投稿要素送信部１６３が送信した投稿要素は、投稿要素取得部１１３によって取得される。
【００３６】
投稿内容受信部１６４は、複数のテレビジョン受像機１００の投稿部１１６からそれぞれ投稿される投稿内容を受信する。
【００３７】
投稿情報送信部１６５は、投稿内容受信部１６４が複数のテレビジョン受像機１００のそれぞれから受信した投稿内容を含む投稿情報を、複数のテレビジョン受像機１００に送信する。
【００３８】
また、投稿内容受信部１６４が複数のテレビジョン受像機１００のそれぞれから受信した投稿内容を含む投稿情報は、記憶部１７０の投稿情報蓄積部１７１に記憶される。投稿情報蓄積部１７１は、電子番組表取得部１６１が取得した電子番組表を参照して、投稿内容受信部１６４が受信した投稿情報を、番組と対応付けて蓄積する。
【００３９】
また、記憶部１７０には、予め作成された汎用的な言葉が、汎用ワードとして記憶されている構成であってもよい。
【００４０】
（テレビジョン受像機１００と情報処理装置１５０との関係について）
複数のテレビジョン受像機１００は、情報処理装置１５０に対して予めユーザ登録が行われる。情報処理装置１５０の記憶部１７０には、登録されているテレビジョン受像機１００の機器に関する情報である機器管理データと、登録されているテレビジョン受像機１００のユーザに関する情報であるユーザ管理データと、が記憶されている。
【００４１】
また、記憶部１７０の投稿情報蓄積部１７１には、投稿情報が、番組に加えて、投稿元のテレビジョン受像機１００に特有の機器ＩＤと、当該機器ＩＤに対応付けられたユーザＩＤとに対応付けて蓄積されている。
【００４２】
図４（ａ）は、記憶部１７０に記憶された、登録されているテレビジョン受像機１００の機器管理データの一例を示している。機器管理データには、図４（ａ）に示すように、登録されているテレビジョン受像機１００のそれぞれに固有の機器ＩＤに対応付けて、機器の設置地域、機器の製造メーカ、及び機器の表示画面のサイズを示すインチや解像度等の情報が含まれている。
【００４３】
図４（ｂ）は、記憶部１７０に記憶された、登録されているテレビジョン受像機１００のユーザ管理データの一例を示している。ユーザ管理データには、図４（ｂ）に示すように、登録されているテレビジョン受像機１００のユーザのそれぞれに固有のユーザＩＤに対応付けて、ユーザの居住地域、ユーザの年齢、ユーザの性別、及びユーザの職業等の情報が含まれている。
【００４４】
また、図示は省略するが、記憶部１７０には、機器ＩＤと、ユーザＩＤとを対応付ける管理データが記憶されていても良い。
【００４５】
図５は、投稿情報が書き込まれ、記憶部１７０の投稿情報蓄積部１７１に記憶されている投稿管理データの一例を示している。投稿管理データには、図５に示すように、それぞれの投稿情報（コメント）が、チャンネル、番組名、投稿時刻を示すタイムスタンプ、機器ＩＤ、ユーザＩＤ、及び表示属性とともに記録されている。
【００４６】
表示属性は、ユーザからの指示に応じて投稿される投稿内容に含ませることができるオプション情報である。ユーザは、表示属性を指定することで、ユーザの投稿内容を含む投稿情報が表示部１２０に表示される際の、投稿情報の表示態様を指定することができる。表示属性は、例えば、ユーザの投稿内容を含む投稿情報の文字の色や大きさ、書体、表示速度等を指定する情報を含む。ユーザは、例えば、３つの表示属性を指定することができ、投稿管理データには、表示属性１，２，３の順で、例えば左詰めに、これらのオプション情報が記録されている。表示属性は、例えば、後述するコメント入力メニュー１２から、投稿要素ととともに、ユーザからの指示に応じて選択される構成とすることができる。
【００４７】
（投稿情報の表示態様について）
図６（ａ），（ｂ）は、テレビジョン受像機１００の表示部１２０における投稿情報の表示態様を示す図である。図６（ａ）に示すように、通常視聴時には、表示制御部１１８は、受信部１１１を介して受信したデータストリームに応じた画像を表示部１２０に表示する。この通常視聴時において、情報処理装置１５０から投稿情報取得部１１７により取得した投稿情報を表示する指示がユーザによって行われた場合、表示制御部１１８は、投稿情報を表示部１２０に表示する。
【００４８】
表示制御部１１８は、投稿情報であって、表示部１２０に表示している番組、つまり、ユーザが視聴中の番組のコンテンツに対応する投稿情報を、番組コンテンツに重畳して表示部１２０に表示する。表示制御部１１８は、例えば、表示部１２０に表示されている番組コンテンツに対して、投稿情報が画面の右隅から左隅に向かって流れていく様に、投稿情報を表示してもよい。なお、投稿情報が画面内を流れていく速さは、ユーザが任意の速さに設定可能な構成であってもよい。また、投稿情報を表示する画面内の位置や、表示時間の長さが、ユーザによって設定可能な構成であってもよい。例えば、ユーザは、現在視聴中の番組のコンテンツに対応する投稿情報を、番組コンテンツの一部に重畳して表示される小画面に表示するように設定することができる構成であってもよい。
【００４９】
これらの構成によれば、視聴中の番組のコンテンツに対応する、他の視聴者の投稿内容を含む投稿情報が表示部１２０に表示される。よって、ユーザは、番組コンテンツンを視聴しながら、他の視聴者とコメントを共有し合うことができ、他の視聴者と一緒に番組コンテンツンを見ているような臨場感を感じることができる。これにより、テレビ視聴の楽しみ方を広げることができる。
【００５０】
（ユーザ操作について）
図７〜図１１は、ユーザ操作に応じた表示部１２０における表示の例を示す図である。
【００５１】
ユーザは、例えば、リモコン５に対する操作によって、テレビジョン受像機１００が備える各種機能を選択実行可能に表示部１２０に表示するメニューボタンを操作する。ユーザは、表示部１２０に表示されたメニューの中から、投稿内容の投稿や、投稿情報の表示を行う機能を実行するコメントモードを選択する操作をリモコン５に対して行う。これらの操作によって、表示部１２０には、番組コンテンツに重畳して、図７（ａ）に示すように、コメントモードに関連するコメントモードメニュー１１が表示される。コメントモードメニュー１１には、例えば、リモコン５に設けられた、青ボタン、赤ボタン、緑ボタンに対応付けて、各ボタンがおされた場合に実行する機能を示す情報が表示される。
【００５２】
コメントモードメニュー１１が表示されている状態において、ユーザが青ボタンに対する操作を行った場合、表示制御部１１８は、番組コンテンツに重畳して表示部１２０に表示している投稿情報を非表示にする。
【００５３】
コメントモードメニュー１１が表示されている状態において、ユーザが赤ボタンに対する操作を行った場合、表示制御部１１８は、図７（ｂ）に示すように、ユーザによるコメント入力を受け付けるコメント入力メニュー１２を表示部１２０に表示する。コメント入力メニュー１２には、例えば、コメント入力画面に画面を遷移するユーザ指示を受け付けるコメント入力ボタン１３と、ユーザからの指示に応じて投稿内容を送信する送信ボタン１４とが表示される。
【００５４】
コメントモードメニュー１１が表示されている状態において、ユーザが緑ボタンに対する操作を行った場合、表示制御部１１８は、詳細については後述するが、現在放送中の各番組に対して投稿された投稿情報を番組毎に表示する。
【００５５】
（コメント投稿におけるユーザ操作について）
図８（ａ）は、ユーザがコメント入力を開始する指示を行った場合の表示部１２０の表示の一例を示す図である。
【００５６】
ユーザが、例えばコメント入力ボタン１３に対する操作によって、コメント入力を開始する指示を行うと、投稿要素提示部１１４は、図８（ａ）に示すように、投稿要素取得部１１３が取得した投稿要素の少なくとも一部を、表示部１２０において選択可能にユーザに提示する。投稿要素提示部１１４は、番組ワード、及び汎用ワード等のカテゴリー１５ａ〜１５ｄ毎に複数の投稿要素が示された投稿要素メニュー１５を表示部１２０に表示する。図８（ｂ）は、投稿要素メニュー１５を示す図である。
【００５７】
なお、投稿要素提示部１１４は、コメント入力メニュー１２や、投稿要素メニュー１５を、番組コンテンツの一部に重畳して表示する。表示制御部１１８は、投稿要素提示部１１４による投稿要素の提示中も、表示部１２０に番組コンテンツを継続して表示する。
【００５８】
投稿要素提示部１１４は、投稿情報取得部１１７が取得した投稿情報であって、ユーザが視聴中の番組に対する投稿情報のうち、同一の投稿情報が複数あるものを、投稿要素のカテゴリーの一つである「よく使われているコメント」として、選択可能にユーザに提示してもよい。
【００５９】
また、投稿要素提示部１１４は、投稿情報取得部１１７が取得した投稿情報であって、ユーザが視聴中の番組に対する投稿情報のうち、同一の投稿要素の組み合わせを含む投稿情報の同一部分を、投稿要素のカテゴリーの一つである「よく使う組み合わせ」として、選択可能にユーザに提示してもよい。
【００６０】
このように、図８（ｂ）に示したように、投稿要素メニュー１５には、番組ワードを含む第１投稿要素カテゴリー１５ａ、及び汎用ワードを含む第２投稿要素カテゴリー１５ｂと、後述する、よく使われているコメントを含む第３投稿要素カテゴリー１５ｃ、及びよく使う組み合わせを含む第４投稿要素カテゴリー１５ｄが含まれていてもよい。
【００６１】
また、投稿要素提示部１１４は、投稿要素の各カテゴリーに、リモコン５の、青、赤、緑、黄の４色の操作ボタンを割り当てて、対応する色の操作ボタンを示すアイコンを投稿要素メニュー１５に表示してもよい。
【００６２】
図９（ａ）は、投稿要素メニュー１５が表示部１２０に表示されている状態において、ユーザがリモコン５の青ボタンに対する操作を行った際の表示部１２０の表示例を示す図である。図９（ｂ）は、図９（ａ）における第１投稿要素カテゴリー１５ａの表示部分を拡大した図である。
【００６３】
図９（ａ），（ｂ）に示すように、投稿要素メニュー１５が表示部１２０に表示されている際に、ユーザがリモコン５の青ボタンに対する操作を行うと、投稿要素提示部１１４は、青ボタンに対応する、番組ワードに関する投稿要素を複数含む第１投稿要素カテゴリー１５ａのワード一覧を大きく表示する。
【００６４】
ユーザは、リモコン５の上下左右ボタン等を用いて、選択する投稿要素にカーソール（ハイライト）を移動させ、決定ボタン１７ａに対する操作で、所望の投稿要素を選択することを決定することができる。また、ユーザは、戻るボタン１７ｂに対する操作で投稿要素メニュー１５が表示部１２０に表示される画面に表示画面を遷移させることができる。
【００６５】
投稿要素カテゴリー１５ａ〜１５ｄを含む投稿要素メニュー１５が表示部１２０に表示されている状態で、投稿要素を選択する決定ボタン１６に対するユーザ操作が行われると、投稿要素選択部１１５は、ユーザからの指示に応じた投稿要素を選択する。また、投稿要素選択部１１５は、投稿要素カテゴリー１５ａ〜１５ｄの何れか一つが拡大表示されている状態で、投稿要素を選択する決定ボタン１７ａに対するユーザ操作が行われると、ユーザからの指示に応じた投稿要素を選択する。
【００６６】
図１０は、ユーザからの指示に応じて選択された投稿要素の表示部１２０における表示例を示す図である。図１０に示すように、ユーザからの指示に応じて投稿要素が選択されると、投稿要素提示部１１４は、コメント入力メニュー１２内に、ユーザによって既に選択された投稿要素である選択済み投稿要素１８を表示する。
【００６７】
また、投稿要素提示部１１４は、コメント入力メニュー１２内にコメント入力ボタン１３を設けて、ユーザに投稿要素の追加選択が可能であることを示す。ユーザが、コメント入力ボタン１３に対する操作によって、コメント入力を開始する指示を行うと、投稿要素提示部１１４は、再び、図８（ａ）に示すように、投稿要素取得部１１３が取得した投稿要素の少なくとも一部を、表示部１２０において選択可能にユーザに提示する。
【００６８】
ユーザは、投稿要素カテゴリー１５ａ〜１５ｄのそれぞれの投稿要素から、選択した投稿要素を組み合わせて投稿内容を作成することができる。ユーザは、例えば、５個程度の投稿要素を組み合わせて投稿内容を作成してもよい。このように、複数の投稿要素を組み合わせて作成された投稿内容は、ユーザによる送信ボタン１４に対する操作指示に応じて、投稿部１１６によって、情報処理装置１５０に投稿される。
【００６９】
ユーザからの指示に応じて情報処理装置１５０に投稿された投稿内容は、他のユーザの投稿内容を含む投稿情報として情報処理装置１５０から送信され、投稿情報取得部１１７によって取得される。表示制御部１１８は、ユーザからの指示に応じて、ユーザの投稿内容と、他のユーザの投稿内容と、を含む投稿情報を、番組コンテンツに重畳して表示部１２０に表示する。
【００７０】
これらの構成によれば、ユーザが投稿できる文言を予め管理することができ、批判的な表現や、品に欠ける言葉の使用を抑制することができるため、誹謗や中傷を目的としたコメントが投稿されるのを防ぐことができる。また、情報処理装置１５０が候補の投稿要素を生成し、ユーザは、それらの投稿要素を組み合わせて投稿内容を生成することができるため、定型文のみを用いることで表現性が低くなるという問題を解消することができる。加えて、情報処理装置１５０が生成した候補の投稿要素を組み合わせて投稿内容を生成することができるため、コメント機能に慣れていない人であっても、容易に機能を活用でき、手軽に楽しむことができる。
【００７１】
（複数番組の投稿情報の表示について）
表示制御部１１８は、ユーザ操作に応じて、現在放送中の複数の番組のそれぞれに対応する複数の投稿情報を、表示部１２０に並べて表示することもできる。表示制御部１１８は、例えば、図７（ａ）に示したように、コメントモードメニュー１１が表示されている状態において、ユーザが緑ボタンに対する操作を行った場合に、表示制御部１１８は、複数の番組のそれぞれに対応する複数の投稿情報を、表示部１２０に表示する。
【００７２】
図１１は、表示部１２０において、複数の番組のそれぞれに対応する複数の投稿情報が並べて表示された投稿要素一覧１９の表示例を示す図である。図１１に示すように、投稿情報取得部１１７によって取得された投稿情報は、番組のチャンネル、番組の名前、及び番組の放送時間等の対応する番組に関する情報を含んでいる。また、投稿情報取得部１１７によって取得された投稿情報は、各番組について、所定期間内、例えば５分内、のコメント投稿数や、コメントを投稿しているユーザの主たる層、例えば主たる年齢層、の情報を含んでいる。
【００７３】
表示制御部１１８は、現在放送中の複数の番組のそれぞれに対応する、複数の投稿内容、投稿数、投稿者の主たる年齢層等の情報を、番組のチャンネル、番組の名前、及び番組の放送時間等の情報とともに表示部１２０に表示する。
【００７４】
また、表示制御部１１８は、各番組の投稿情報に、対応する番組コンテンツを表示部１２０に表示させる操作に関する情報を含ませる。なお、対応する番組コンテンツを表示部１２０に表示させる操作に関する情報は、各番組の投稿情報毎に設けられた、対応する番組コンテンツを表示部１２０に表示させる操作を受け付ける「今すぐ見る」といったアイコンであってもよい。また、対応する番組コンテンツを表示部１２０に表示させる操作に関する情報は、各番組の投稿情報毎に割り当てられたリモコン５の操作ボタン、例えば青、赤、緑、黄の４色の操作ボタンの色等、を示す情報であってもよい。
【００７５】
これらの構成によれば、ユーザは、放送中の複数の番組のそれぞれに対応する複数の投稿情報の一覧を見ることができる。また、ユーザは、投稿情報を見て興味をもった番組を視聴したい場合には、例えば「今すぐ見る」といったアイコンに対する操作によって、すぐに該当する番組を視聴することができる。また、ユーザは、投稿数から番組の盛り上がり度合いを知ることができたり、投稿者の主たる年齢層等の情報から、どういう層のユーザが主にコメントしているのかといった情報を合わせて知ることができる。
【００７６】
なお、図１１では、現在放送中の複数の番組のそれぞれに対応する複数の投稿情報が、表示部１２０に並べて全画面表示される場合を例に示した。これに限らず、表示制御部１１８は、ユーザが視聴中の番組コンテンツの一部に重畳して表示される小画面に、他の番組に対応する投稿情報を表示する構成であってもよい。また、現在放送中の複数の番組のそれぞれに対応する複数の投稿情報を表示部１２０に並べて全画面表示するか、他の番組に対応する投稿情報を視聴中の番組コンテンツの一部に重畳して表示するかを、ユーザが選択、及び、切替可能な構成であってもよい。
【００７７】
〔ソフトウェアによる実現例〕
テレビジョン受像機１００の制御ブロック（特に、投稿要素取得部１１３、投稿要素提示部１１４、投稿要素選択部１１５、投稿部１１６、投稿情報取得部１１７、及び表示制御部１１８）は、集積回路（ＩＣチップ）等に形成された論理回路（ハードウェア）によって実現してもよいし、ソフトウェアによって実現してもよい。また、情報処理装置１５０の制御ブロック（特に、電子番組表取得部１６１、投稿要素抽出部１６２、投稿要素送信部１６３、投稿内容受信部１６４、及び投稿情報送信部１６５）は、集積回路（ＩＣチップ）等に形成された論理回路（ハードウェア）によって実現してもよいし、ソフトウェアによって実現してもよい。
【００７８】
後者の場合、テレビジョン受像機１００及び情報処理装置１５０は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００７９】
〔まとめ〕
本発明の態様１に係るテレビジョン受像機（１００）は、表示部（１２０）と制御部（１１０）とを備えたテレビジョン受像機（１００）であって、上記制御部（１１０）は、複数の投稿要素を取得する投稿要素取得部（１１３）と、上記投稿要素取得部（１１３）が取得した投稿要素の少なくとも一部を、上記表示部（１２０）において選択可能にユーザに提示する投稿要素提示部（１１４）と、上記投稿要素提示部（１１４）が提示した投稿要素から、ユーザからの指示に応じて、投稿要素を選択する投稿要素選択部（１１５）と、上記投稿要素選択部（１１５）が選択した投稿要素を含む投稿内容を投稿する投稿部（１１６）と、他のユーザの投稿内容を含む投稿情報を取得する投稿情報取得部（１１７）と、上記投稿情報取得部（１１７）が取得した投稿情報を、上記表示部（１２０）に表示する表示制御部（１１８）とを備えている構成である。
【００８０】
上記の構成によれば、ユーザは投稿内容を投稿することができるとともに、他のユーザの投稿内容を含む投稿情報が表示部（１２０）に表示されるため、他の視聴者とのコメントを共有し合うことで、テレビ視聴の楽しみ方を広げることができる。
【００８１】
本発明の態様２に係るテレビジョン受像機（１００）は、上記の態様１において、上記投稿要素には、電子番組表に含まれる情報から抽出された投稿要素が含まれる構成としてもよい。
【００８２】
上記の構成によれば、ユーザは、電子番組表に含まれる情報から抽出された複数の投稿要素から選択した投稿要素を含む投稿内容を簡単に投稿することができる。
【００８３】
本発明の態様３に係るテレビジョン受像機（１００）は、上記の態様１または２において、上記表示制御部（１１８）は、上記投稿情報であって、ユーザが視聴中の番組コンテンツに対応する上記投稿情報を、上記番組コンテンツに重畳して表示する構成としてもよい。
【００８４】
上記の構成によれば、番組コンテンツの視聴を楽しみながら、他の視聴者とのコメントを共有し合うことができ、テレビ視聴の楽しみ方を広げることができる。
【００８５】
本発明の態様４に係るテレビジョン受像機（１００）は、上記の態様１または２において、上記表示制御部（１１８）は、放送中の複数の番組のそれぞれに対応する複数の上記投稿情報を、上記表示部に並べて表示し、各投稿情報は、対応する番組コンテンツを上記表示部に表示させる操作に関する情報を含む構成としてもよい。
【００８６】
上記の構成によれば、ユーザは放送中の複数の番組のそれぞれに対応する投稿情報を閲覧することができるとともに、見たい番組のコンテンツを表示部（１２０）に表示するための操作を簡単に行うことができる。
【００８７】
本発明の態様５に係るテレビジョン受像機（１００）は、上記の態様１または２において、上記投稿要素選択部（１１５）は、ユーザからの指示に応じて、複数の上記投稿要素を選択し、上記投稿部（１１６）は、ユーザからの指示に応じて選択された複数の上記投稿要素を含む投稿内容を投稿する構成としてもよい。
【００８８】
上記の構成によれば、ユーザは複数の投稿要素を組み合わせて作成した投稿内容を投稿することができ、コメント機能に慣れていない人であっても候補コメントを使用することで、容易に機能を活用することができる。
【００８９】
本発明の態様６に係る情報処理装置（１５０）は、サーバ制御部（１６０）を備えた情報処理装置（１５０）であって、上記サーバ制御部（１６０）は、電子番組表から複数の投稿要素を抽出する投稿要素抽出部（１６２）と、上記投稿要素抽出部（１６２）が抽出した投稿要素を含む複数の投稿要素を複数のテレビジョン受像機（１００）に送信する投稿要素送信部（１６３）と、上記複数のテレビジョン受像機（１００）から、それぞれの投稿内容を受信する投稿内容受信部（１６４）と、上記投稿内容受信部（１６４）が受信した投稿内容を含む投稿情報を、上記複数のテレビジョン受像機（１００）に送信する投稿情報送信部（１６５）とを備えている構成である。
【００９０】
上記の構成によれば、複数の視聴者のコメントを提供することができ、テレビ視聴の楽しみ方を広げることができる。
【００９１】
本発明の態様７に係る情報処理装置（１５０）は、上記の態様６において、上記電子番組表を参照して、上記投稿情報を、番組と対応付けて蓄積する投稿情報蓄積部（１７１）をさらに備えている構成としてもよい。
【００９２】
上記の構成によれば、投稿情報の統計に関する情報をユーザに提供することができ、テレビ視聴の楽しみ方を広げることができる。
【００９３】
本発明の各態様に係る制御部、及びサーバ制御部は、コンピュータによって実現してもよく、この場合には、コンピュータを上記制御部、及びサーバ制御部が備える各部（ソフトウェア要素）として動作させることにより上記制御部、及びサーバ制御部をコンピュータにて実現させる制御部、及びサーバ制御部の制御プログラム、およびそれを記録したコンピュータ読み取り可能な記録媒体も、本発明の範疇に入る。
【００９４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００９５】
１  情報表示システム
５  リモコン
１００  テレビジョン受像機（表示装置）
１１０  制御部
１１１  受信部
１１２  電子番組表送信部
１１３  投稿要素取得部
１１４  投稿要素提示部
１１５  投稿要素選択部
１１６  投稿部
１１７  投稿情報取得部
１１８  表示制御部
１１９  操作取得部
１２０  表示部
１５０  情報処理装置
１６０  サーバ制御部（制御部）
１６１  電子番組表取得部
１６２  投稿要素抽出部
１６３  投稿要素送信部
１６４  投稿内容受信部
１６５  投稿情報送信部
１７０  記憶部
１７１  投稿情報蓄積部
【図１】
2019125935.tif 000003
【図２】
2019125935.tif 000004
【図３】
2019125935.tif 000005
【図４】
2019125935.tif 000006
【図５】
2019125935.tif 000007
【図６】
2019125935.tif 000008
【図７】
2019125935.tif 000009
【図８】
2019125935.tif 000010
【図９】
2019125935.tif 000011
【図１０】
2019125935.tif 000012
【図１１】
2019125935.tif 000013